(57)【要約】【課題】透明な窓部に飛来物が衝突しても、亀裂による視界の低下を実用上問題ない程度に抑えることができる防護楯を提供すること。【解決手段】透明な窓部と楯本体からなる防護楯であって、前記窓部が前記楯本体に衝撃吸収体を介して接合していることを特徴としており、前記衝撃吸収体がウレタン樹脂、ネオプレンゴム、エチレンプロピレンゴム、シリコーンゴム、二トリルゴム、アクリルゴムの中から選ばれた１種以上のものである。【選択図】図１
2005283055.tif 000002
【特許請求の範囲】
【請求項１】
透明な窓部と、盾本体とを備えた防護盾であって、前記窓部の端部は、衝撃吸収体を介して前記盾本体と接合されていることを特徴とする防護盾。
【請求項２】
前記衝撃吸収体を構成する材料は、ウレタン樹脂、ネオプレンゴム、シリコーンゴム、エチレンプロピレンゴム、二トリルゴム、アクリルゴムの中から選ばれた１種以上である請求項１に記載の防護楯。
【請求項３】
前記衝撃吸収体の厚さは、１〜１０ｍｍである請求項１または２に記載の防護盾。
【請求項４】
前記窓部を構成する材料は、アクリル樹脂、ポリカーボネート樹脂、エポキシ樹脂の中から選ばれた１種以上である請求項１ないし３のいずれかに記載の防護盾。
【請求項５】
前記窓部の面積は、１０〜２５０ｃｍ2である請求項１ないし４のいずれかに記載の防護盾。
【発明の詳細な説明】
【技術分野】
【０００１】
本発明は、防護楯に関するものである。
【背景技術】
【０００２】
飛来物から人体を防護するため、古くから楯は使われており、対象とする飛来物によって様々な楯が供給されている。当然ながら、飛来物の衝撃力が高くなればなるほど楯に要求される防護性能は高まり、その結果楯の重量は重くなっていく。また、防護する面積を広げて広範囲を防護しようとすると、大きな楯が必要となるためやはり重くなる。
【０００３】
このような重量問題をカバーするため、比重が小さくて防護性能が高い素材を使用した楯が開発されており、繊維強化プラスチックスを素材として用いたものなどがそれにあたる（例えば、特許文献１参照）。しかしながら、このような楯は、不透明な素材であるためその背後に身を隠した時には、視界が制限されることになる。この問題を解決するため、楯本体に部分的に窓を設け、そこに透明で楯本体と同等の防護性能を有する素材で作られた窓部をはめ込むことが考案されている。こうすることで、楯全体を透明素材で作るよりは最小限の重量増で視界を確保することが可能となった（例えば、特許文献２参照）。しかしながら、窓部に使用される素材は、飛来物が衝突すると、ひび、割れ等によって視界が低下するという問題があった。
【特許文献１】特開平０７−２４３７９７号広報
【特許文献２】特開２０００−０３９２９７号広報
【発明の開示】
【発明が解決しようとする課題】
【０００４】
本発明は、上記のような防護楯における問題点を鑑みて、透明な窓部に飛来物が衝突しても亀裂による視界の低下を実用上問題ない程度に抑えることができる楯を提供することにある。
【課題を解決するための手段】
【０００５】
このような目的は、下記（１）〜（５）の本発明によって達成される。
（１）透明な窓部と、盾本体とを備えた防護盾であって、前記窓部の端部は、衝撃吸収体を介して前記盾本体と接合されていることを特徴とする防護盾。
（２）前記衝撃吸収体を構成する材料は、ウレタン樹脂、ネオプレンゴム、シリコーンゴム、エチレンプロピレンゴム、二トリルゴム、アクリルゴムの中から選ばれた１種以上である（１）に記載の防護楯。
（３）前記衝撃吸収体の厚さは、１〜１０ｍｍである（１）または（２）に記載の防護盾。
（４）前記窓部を構成する材料は、アクリル樹脂、ポリカーボネート樹脂、エポキシ樹脂の中から選ばれた１種以上である（１）ないし（３）のいずれかに記載の防護盾。
（５）前記窓部の面積は、１０〜２５０ｃｍ2である（１）ないし（４）のいずれかに記載の防護盾。
【発明の効果】
【０００６】
本発明により、透明な窓部に飛来物が衝突して発生する亀裂による視界の低下を実用上問題ない程度に抑えられる防護楯を提供できる。
【発明を実施するための最良の形態】
【０００７】
本発明は、透明な窓部と楯本体とを備えた防護楯であって、前記窓部が前記楯本体に衝撃吸収体を介して接合されていることを特徴とする防護楯である。
【０００８】
以下、本発明の防護盾を図面に示す実施形態に基づいて詳細に説明する。
図１は、本発明の一例である防護盾１０の正面図および側面図である。図２は、防護盾１０のＡ−Ａ部分の断面図である。
【０００９】
図１に示すように防護盾１０は、盾本体１と、盾本体１の上部に設けられた窓部２と、窓部２の下側に水平に設けられた取手（小）４と、盾本体１の端側に盾本体１の縦方向に取手（大）５が設けられている。
以下、各構成要素について説明する。
【００１０】
盾本体１は、銃弾等の飛来物から人体を防護する機能を有するものである。
盾本体１は、ほぼ長方形の板状体である。
盾本体１の面積は、特に限定されないが、０．２〜０．６ｍ2が好ましく、特に０．３〜０．５ｍ2が好ましい。面積が前記範囲内であると、特に防護機能に優れる。
【００１１】
盾本体１の厚さは、特に限定されないが、１〜３０ｍｍが好ましく、特に５〜２０ｍｍが好ましい。厚さが前記範囲内であると、特に防護楯１０の操作性及び防護機能に優れる。
【００１２】
盾本体１を構成する材料としては、特に限定されないが、例えば、アルミ、チタン等の金属類、ガラス繊維、アラミド繊維、炭素繊維、ポリエチレン繊維等の繊維材料を樹脂で担持した繊維強化プラスチック等が挙げられる。
さらに、これらの材料を複合化したもの（特にセラミックスとの複合材料）も好ましい。これにより、防護盾１０を軽量化することができる。
【００１３】
盾本体１には、窓部２を接合するための長方形の貫通孔１１が形成されている。貫通孔１１の面積は、防護盾１０を使用する者の視界を遮らない程度であれば特に限定されないが、１０〜３００ｃｍ2が好ましく、特に２０〜２５０ｃｍ2が好ましい。面積が前記下限値未満であると使用者の視界を良好にする効果が低下する場合があり、前記上限値を超えると窓部２の重量が増し、防護楯１０の操作性が低下する場合がある。
【００１４】
窓部２は、貫通孔１１に嵌合するように盾本体１の正面側（図１中左側）から接合されている。
【００１５】
更に、図２に示すように窓部２は、盾本体１と窓部２の上下（図２中上下）の端部とは、衝撃吸収体３を介しており、更に窓枠９を介してボルト６及びワッシャー８によって接合されている。
【００１６】
窓部２は、視界が制限されることがないように透明な材料で構成されている。
窓部２を構成する材料としては、特に限定されないが、例えば、ポリカーボネート樹脂、アクリル樹脂、エポキシ樹脂等の透明な樹脂が好ましい。これらの樹脂を単独で用いることもできるが、２種類以上の透明な樹脂を重ね合わせて使用することもできる。
また、ガラスに１種類以上の透明樹脂を重ね合わせて使用することもできる。このように透明な素材を重ね合わせることにより機械的強度を向上させることができる。以上のように、透明な材料を窓部２に使用することにより窓部２から前方を確認することができると共に防護楯１０全体の軽量化を図ることができる。
【００１７】
窓部２の面積は、特に限定されないが、１０〜３００ｃｍ2が好ましく、２０〜２５０ｃｍ2が好ましい。面積が前記下限値未満であると使用者の視界を良好にする効果が低下する場合があり、前記上限値を超えると重量が増し、防護楯１０の操作性が低下する場合がある。
【００１８】
窓部２の厚さは、特に限定されないが、１０〜４０ｍｍが好ましく、２０〜３０ｍｍが更に好ましい。厚さが前記範囲内であると、特に耐弾性及び防護楯１０の操作性に優れる。
【００１９】
図１に示すように、本発明の楯本体１の後面には、防護楯１０を手に持って移動するための取手（小）４と取手（大）５が取付けられている。この取手の取付け方向は、特に限定されず、楯本体１の縦方向でも横方向でもいずれの方向にも取付けることができる。また、この取手の取付け数量も特に限定されず、２箇所以上取付けてもかまわない。図１に示すように防護楯１０を前後方向に移動する時に使用する取手（小）４、左右に移動する時に使用する取手（大）５のように取付けることが好ましい。
【００２０】
本発明では、盾本体１と、窓部２とを衝撃吸収体３を介して接合することを特徴とする。これにより、窓部２に銃弾等の飛来物が衝突した時の衝撃エネルギーを緩和し、窓部２の損傷を最小限に抑えることができる。
従って、衝撃吸収体３は衝撃吸収性能に優れたものが望ましく、厚さが厚ければ厚いほど衝撃吸収性能は向上するが、窓部２と盾本体１との間に挟んで設置するため、厚すぎると窓部２が楯本体１の表面から飛び出すぎる形になり、防護楯１０の操作性が低下する場合がある。このため、衝撃吸収体３は、衝撃吸収性能を維持しながら薄いことが望ましい。
【００２１】
衝撃吸収体３の形態は、特に限定されないが、シート状であることが好ましく、その厚さは、特に限定されないが、１ｍｍ〜１０ｍｍが好ましく、特に１．５〜７ｍｍが好ましい。厚さが前記下限値未満では衝撃吸収性を向上する効果が低下する場合があり、前記上限値を超えると窓部２が楯本体１の表面から飛び出すぎて防護楯１０の操作性が低下する場合がある。
【００２２】
衝撃吸収体３を構成する材料としては、例えばポリウレタン、ネオプレンゴム、エチレンプロピレンゴム、シリコーンゴム、二トリルゴム、アクリルゴム等が挙げられる。この中でも、衝撃吸収性能の高いゴム系素材が好ましい。
【００２３】
衝撃吸収体３の設置場所は、特に限定されず、貫通孔１１を挟んで楯本体１の縦方向に２列又は横方向に２列設置することも、貫通孔１１の回り全面に設置することもできる。
【００２４】
本発明では、窓部２を衝撃吸収体３を介して楯本体１に接合する際、窓枠９を使用することが好ましい。窓枠９を使用せず、直接ボルト６による締め付けが衝撃吸収体３にかかると衝撃吸収体３の厚みが減少し、衝撃吸収性能が低下することがある。
【実施例】
【００２５】
以下、本発明を実施例及び図１、２により具体的に説明する。
【００２６】
図１は本発明の防御楯１０の一例を示す正面図と側面図であり、図２はＡ−Ａ断面の拡大図である。
【００２７】
（実施例）
楯本体１はアラミド繊維ＦＲＰで作製した。（縦１ｍ、幅０．４ｍ、厚さ８ｍｍ）
窓部２はポリカーボネート樹脂及びアクリル樹脂で作製した。（縦１００ｍｍ、横２５０ｍｍ、厚さ２５ｍｍ）
衝撃吸収体３は、ＥＰＤＭ（エチレンプロピレンゴム）製で硬度７０°の２ｍｍ厚シートを用いた。
この衝撃吸収体３は、図１及び図２に示すように楯本体１と窓部２で挟んでボルトで固定した。固定に際しては、図２に示すように窓枠９（アルミニウム製）を介することで、ボルト６の締め付け力による衝撃吸収体３の厚さの減少、すなわち衝撃吸収性能の低下を抑えた。
【００２８】
（比較例）
衝撃吸収体３を用いなかった以外は実施例１と同様にして防護楯１０を作製した。
【００２９】
表１に実施例と比較例において作製した防護楯１０の衝撃試験の結果を示す。飛来物は、直径７．５ｍｍ，長さ９ｍｍの鉄製円柱形状で、約３００ｍ／秒の速度で取手と反対面（図２の左側）に衝突させた。
【００３０】
【表１】
2005283055.tif 000003
【００３１】
表１に示す結果のとおり、衝撃吸収体３を有する防御楯１０は衝撃吸収体３の無い防御楯１０に比べ、水平亀裂最大長さ及び垂直亀裂最大長さ共に小さく、裏面の破損も無く、衝撃試験後の視界確保も可能であり、衝撃吸収体３の有効性が確認できた。
【産業上の利用可能性】
【００３２】
本発明は、透明な窓部と、盾本体とを備えた防護盾であって、前記窓部の端部は、衝撃吸収体を介して前記盾本体と接合されているため、防護機能を保ちながら飛来物の衝突時にも窓部に発生する亀裂を少なくできるため、前方確認が安全確実にできる防護楯として好適に使用できる。
【図面の簡単な説明】
【００３３】
【図１】本発明の楯の一例を示す外観図
【図２】Ａ−Ａ断面の拡大図
【符号の説明】
【００３４】
１  楯本体
２  窓部
３  衝撃吸収体
４  取手（小）
５  取手（大）
６  ボルト
７  ナット
８  ワッシャー
９  窓枠
１０  防護楯
１１  貫通孔
【図１】
2005283055.tif 000004
【図２】
2005283055.tif 000005